(57)【要約】【課題】手軽に設置することができて、打球による衝撃を緩和する表示具を提供する。【解決手段】表示具１００は、情報２３が表された可撓性を有する表示板１Ａと、表示板１Ａを地上に固定するための固定具２とを含み、表示板１Ａは、衝撃吸収性を有する基層部上に、人工芝２２よりなる表層部が積層されており、表層部には、人工芝２２を背景として、人工芝２２と異なる色合いの文字および図形の少なくとも一方により情報２３が表されている。【選択図】図１
2019103753.tif 000002
【特許請求の範囲】
【請求項１】
情報が表された可撓性を有する表示板と、
前記表示板を地上に固定するための固定具とを含み、
前記表示板は、衝撃吸収性を有する基層部上に、人工芝よりなる表層部が積層されており、
前記表層部には、前記人工芝を背景として、前記人工芝と異なる色合いの文字および図形の少なくとも一方により前記情報が表されている、表示具。
【請求項２】
前記表示板は、ゴルフ練習場での打球の飛距離を数字で表したものである請求項１に記載の表示具。
【請求項３】
前記表示板は、ゴルフ場でのグリーンまでの距離を数字で表したものである請求項１に記載の表示具。
【請求項４】
前記表示板は、前記表層部が部分的に刳り貫かれた凹部を有し、前記凹部の輪郭形状と前記凹部を通して露出する層の地色とにより前記情報が表されている請求項１から３のいずれかに記載の表示具。
【請求項５】
前記表示板は、前記表層部が部分的に刳り貫かれた凹部を有し、前記凹部に前記人工芝と異なる色合いに着色された人工芝よりなるプレートを嵌め込んで前記情報が表されている請求項１から３のいずれかに記載の表示具。
【請求項６】
前記表示板は、前記表層部が前記情報を表す文字または図形の輪郭を縁取った凹溝状の縁取部を有し、前記縁取部により囲まれる表層部の領域に、前記表層部の人工芝と異なる色合いの着色が施されている請求項１から３のいずれかに記載の表示具。
【請求項７】
前記表示板は、平面形状が矩形状であり、二分された少なくとも一方の領域に前記情報が表されている請求項１から６のいずれかに記載の表示具。
【請求項８】
前記表示板は、全体をＵ字状に湾曲させた状態で両端部が前記固定具により地面に固定されている請求項１から７のいずれかに記載の表示具。
【請求項９】
前記固定具は、一対の固定枠材により構成され、各固定枠材は、上面に前記表示板の端縁が係止される溝を備えている請求項８に記載の表示具。
【請求項１０】
前記表示板は、基層部の両端部に切込が設けられており、全体をＵ字状に湾曲させかつ各切込を開く方向へ表示板の両端部を折り曲げた状態で、折り曲げ部分が前記固定具により地面に固定されている請求項１から７のいずれかに記載の表示具。
【請求項１１】
前記固定具は、前記折り曲げ部分を地上へ固定する釘である請求項９に記載の表示具。
【発明の詳細な説明】
【技術分野】
【０００１】
本発明は表示具に関し、より詳細には、ゴルフ練習場、ゴルフ場等に設置される、打球による衝撃を緩和する表示具に関する。
【背景技術】
【０００２】
ゴルフ練習場には、打席からのボールの飛距離を把握するための飛距離表示板（ヤード表示板とも呼ばれる）が配置されている。従来の飛距離表示板の例としては、例えば金属製や木製の比較的硬い平らな板に、打席からの距離を表示したものがある。例えば特許文献１には、鋼鉄製の距離表示板が開示されている。また、ゴルフ練習場にて使用される、距離等の情報を表示する表示装置としては、例えば特許文献２の表示装置がある。
【先行技術文献】
【特許文献】
【０００３】
【特許文献１】特開２００６−１８９６９６号公報
【特許文献２】特開２０１７−１５１３４０号公報
【発明の概要】
【発明が解決しようとする課題】
【０００４】
従来の飛距離表示板では、特許文献１に例示されるように、表示板の破損を防ぐために硬い材質が使用されている。しかしながら、ゴルフボールは反発係数が高く、打席から打ったボールが飛距離表示板に衝突すると、速い速度で予期せぬ方向へ跳ね返ることがあり危険であった。
【０００５】
特許文献２に例示する表示装置は、打球による衝撃を緩和することができるものの、可動する部材を多く備え、大がかりであり高価である。
【０００６】
本発明は、上記課題を解決するためになされたものであり、その目的は、手軽に設置することができて、打球による衝撃を緩和する表示具を提供することにある。
【課題を解決するための手段】
【０００７】
本発明に係る表示具は、情報が表された可撓性を有する表示板と、表示板を地上に固定するための固定具とを含む。表示板は、衝撃吸収性を有する基層部上に、人工芝よりなる表層部が積層されており、表層部には、人工芝を背景として、人工芝と異なる色合いの文字および図形の少なくとも一方により情報が表されている。
【０００８】
本発明に係る表示具によると、基層部は衝撃吸収性を有し、表層部は人工芝よりなるので、打球による衝撃が緩和され、衝突したボールの跳ね返りが抑制される。表層部には、表層部を構成する人工芝を背景として、人工芝と異なる色合いにより情報が表されているので、視認性が良好であり、しかも、表層部の人工芝は、耐久性および耐候性にも優れている。これにより、打球による衝撃を緩和する表示板を、手軽に設置することが可能となる。
【０００９】
表示板の一実施形態は、ゴルフ練習場での打球の飛距離を数字で表したものである。
【００１０】
表示板の他の実施形態は、ゴルフ場でのグリーンまでの距離を数字で表したものである。
【００１１】
表示板の好ましい実施形態では、表示板は、表層部が部分的に刳り貫かれた凹部を有し、凹部の輪郭形状と凹部を通して露出する層の地色とにより情報が表されている。これにより、文字板等を凹部に嵌め込むことなく、情報を表すことが可能となる。
【００１２】
表示板の他の好ましい実施形態では、表示板は、表層部が部分的に刳り貫かれた凹部を有し、凹部に人工芝と異なる色合いに着色された人工芝よりなるプレートを嵌め込んで情報が表されている。これにより、表示される情報の視認性をより向上させることが可能となる。
【００１３】
表示板のさらに他の好ましい実施形態では、表示板は、表層部が情報を表す文字または図形の輪郭を縁取った凹溝状の縁取部を有し、縁取部により囲まれる表層部の領域に、表層部の人工芝と異なる色合いの着色が施されている。凹溝状の縁取部により、情報を表す文字または図形の輪郭を縁取ることにより、表示される情報の視認性をより一層向上させることが可能となる。
【００１４】
好ましくは、表示板は、平面形状が矩形状であり、二分された少なくとも一方の領域に情報が表されている。
【００１５】
表示板の好ましい実施形態は、全体をＵ字状に湾曲させた状態で両端部が固定具により地面に固定されている。これにより、表示板全体が撓むことによっても、打球による衝撃を吸収することが可能となり、打球による衝撃をより効率的に緩和させることができる。また、打席位置からの距離に応じて湾曲度合いを変えることにより表示板の設置角度を調節することが可能となり、表示される情報の視認性をより向上させることが可能となる。また、地面の段差を跨いで表示板を設置することも可能となる。
【００１６】
固定具の好ましい実施形態は、一対の固定枠材により構成され、各固定枠材は、上面に表示板の端縁が係止される溝を備えている。
【００１７】
他の好ましい実施形態においては、表示板は、基層部の両端部に切込が設けられており、全体をＵ字状に湾曲させかつ各切込を開く方向へ表示板の両端部を折り曲げた状態で、折り曲げ部分が固定具により地面に固定されている。これにより、一対の固定枠材を用いることなく、表示板を地面に固定することが可能となる。また、表示板の全体をＵ字状に湾曲させることから、打球による衝撃を表示板全体が撓むことで吸収することが可能となり、打球による衝撃をより効率的に緩和させることができる。打席位置からの距離に応じて湾曲度合いを変えることにより表示板の設置角度を調節することが可能となり、表示される情報の視認性を向上させることが可能となる。また、地面の段差を跨いで表示板を設置することも可能となる。
【００１８】
好ましくは、固定具は、折り曲げ部分を地上へ固定する釘である。
【発明の効果】
【００１９】
本発明によると、手軽に設置することができて、打球による衝撃を緩和する表示具を提供することができる。
【図面の簡単な説明】
【００２０】
【図１】一実施形態に係る表示具を模式的に表した斜視図である。
【図２】表示板の一実施形態を模式的に表した図であり、（ａ）が平面図、（ｂ）が（ａ）のＡ１−Ａ２線に沿う断面図である。
【図３】人工芝を模式的に拡大して表した断面図である。
【図４】表示板の第１の設置例を模式的に表した断面図である。
【図５】表示板の第２の設置例を模式的に表した断面図である。
【図６】表示板の第３の設置例を模式的に表した断面図である。
【図７】表示板の第４の設置例を模式的に表した斜視図である。
【図８】表示板の他の実施形態を模式的に表した図であり、（ａ）が平面図、（ｂ）が（ａ）のＢ１−Ｂ２線に沿う断面図である。
【発明を実施するための形態】
【００２１】
以下、本発明の実施形態を、添付の図面を参照して詳細に説明する。なお、以下の説明および図面において、同じ符号は同じまたは類似の構成要素を示すこととし、よって、同じまたは類似の構成要素に関する重複した説明を省略する。
【００２２】
図１は、一実施形態に係る表示具を模式的に表した斜視図である。
【００２３】
一実施形態に係る表示具１００は、情報を表す表示板１Ａと、表示板１Ａを地上に固定するための一対の固定枠材２とを含む。固定枠材２は固定具として用いられている。
【００２４】
表示板１Ａは可撓性を有し、情報の表示が外側に向けられて全体が略Ｕ字状（アーチ状とも呼ぶ）に湾曲された状態で固定具により地面に固定されている。表示板１Ａには、情報が数字により表されているが、これに限らず文字、図形、文字と図形との組合せにより情報が表されていてもよい。表示具１００がゴルフ練習場またはゴルフ場に設置される場合、表示板１Ａが表す数字の情報は、例えばゴルフ練習場での打球の飛距離や、ゴルフ場での目標物（例えば、グリーン）までの距離である。図１に示す例では、表示板１Ａは、後述する第１の設置例にて地面に固定されており、表示板１Ａの端縁は、固定枠材２の上面に設けられた溝３に係止されている。
【００２５】
図２は、表示板の一実施形態を模式的に表した図であり、（ａ）が平面図、（ｂ）が（ａ）のＡ１−Ａ２線に沿う断面図である。
【００２６】
一実施形態に係る表示板１Ａは、基層部１０と、基層部１０上に積層された表層部２０Ａとを含む。図２に示す例では、表示板１Ａは、平面形状が略矩形状であり、全体を湾曲させて設置される。湾曲部分を境に表層部２０Ａの表面が反対方向を向く領域に分けられ、この二分される領域の少なくとも一方の領域に情報が表されている。表示板１Ａには、二分される領域の両方の領域に情報が表されていてもよい。例示的には、表示板１Ａには、基層部１０としての衝撃吸収用のマットと表層部２０Ａとしての人工芝とが貼り合わされた、市販のゴルフ打席用のマット（例えば、ショット用マット、およびスタンス用マット等）を加工して用いることができる。表示板１Ａの例示的な寸法は、幅１００ｃｍ×長さ１５０ｃｍ×厚さ２．５ｃｍである。表示板１Ａに表示する情報として３桁の数字を用いる場合、幅方向および長さ方向の寸法比は、約２：３が好ましい。基層部１０と表層部２０Ａとの接合は、例えば接着剤による接着が好ましく、接着の前に基層部１０に下地剤（プライマー）を塗布しておくことがより好ましい。
【００２７】
基層部１０は、衝撃吸収性および可撓性を有しており、例えばＥＶＡ樹脂（Ethylene-Vinyl Acetate エチレン-酢酸ビニル共重合樹脂）、ウレタン、スポンジ、およびゴム等の弾性素材で形成されている。例示的には、基層部１０の厚さは約１．５ｃｍである。
【００２８】
表層部２０Ａは、可撓性を有しており、例えば人工芝で形成されている。例示的には、表層部２０Ａの厚さは約１．０ｃｍである。表層部２０Ａには、表層部２０Ａが部分的に刳り貫かれた凹部２１が設けられており、図２に示す例では、凹部２１には、平面形状が凹部２１の輪郭形状に加工された、プレート状の人工芝が嵌め込まれている。プレート状の人工芝は、例えば接着剤等により凹部２１において表層部２０Ａまたは基層部１０に接合されてもよい。または、プレート状の人工芝は、表層部２０Ａの裏面に粘着テープ等が貼付られることにより、着脱可能に凹部２１に嵌め込まれてもよい。以後の説明では、表層部２０Ａを構成する人工芝を第１の人工芝２２と記載し、凹部２１に嵌め込まれるプレート状の人工芝を第２の人工芝２３と記載する。
【００２９】
第２の人工芝２３は、平面形状が凹部２１の輪郭形状に加工されており、第１の人工芝２２と異なる色合いを有する。例示的には、第１の人工芝２２の色合いは緑色であり、第２の人工芝２３の色合いは白色である。すなわち表層部２０Ａは、図２の（ａ）に示すように、第１の人工芝２２を背景として、第１の人工芝２２の色合いと第２の人工芝２３の色合いとの違いにより、情報を表している。
【００３０】
図３は、第１および第２の人工芝２２，２３を模式的に拡大して表した断面図である。
【００３１】
図３に示す人工芝２２，２３は、芝葉（パイル）３１と、基層３２と、合成樹脂、合成ゴム等よりなる層（以下、「樹脂層」と総称する。）３３とを備えている。芝葉３１は、植設部分が基層３２の裏側へ貫通し、表出部分が基層３２の表側に突出するように植設されている。樹脂層３３は、基層３２の裏側に貫通する芝葉３１の植設部分を、基層３２の裏側から固定している。基層３２および樹脂層３３は可撓性を有している。人工芝２２，２３には、種々の既製の人工芝を使用することができる。
【００３２】
図４は、表示板１Ａの第１の設置例を模式的に表した断面図である。
【００３３】
第１の設置例では、固定具として一対の固定枠材２が用いられている。表示板１Ａは、表層部２０Ａが外側に向けられて全体が略Ｕ字状に湾曲された状態で、両端部が一対の固定枠材２により地面に固定されている。固定枠材２は、一定の長さの真っ直ぐな部材であり、上面に直線状の溝３を有し、表示板１Ａの端縁を係止する固定具として機能する。溝３の幅は、表示板１Ａが抜け出さない寸法、表示板１Ａの厚みよりやや大きな寸法に形成されている。例示的には、固定枠材２は溝形鋼で形成されており、固定枠材２は自重により地面に静置されている。固定枠材２は、後述するＵ字釘５等の固定具にて地面に固定されてもよい。表示板１Ａの湾曲の程度は、一対の固定枠材２の設置間隔により調節される。これにより、打席位置からの距離に応じて表示板１Ａの設置角度を調節することが可能となり、表示される情報の視認性を向上させることが可能となる。表示板１Ａは、表示板１Ａに表示された情報が打席の方向を向くように地面に設置される。
【００３４】
図５は、表示板１Ａの第２の設置例を模式的に表した断面図である。
【００３５】
第２の設置例では、固定具としてＵ字釘５（ステープラとも呼ぶ）が用いられ、表示板１Ａは、表層部２０Ａが外側に向けられて全体が略Ｕ字状に湾曲された状態で、両端部が折り曲げられて地面に固定されている。基層部１０の両端部には全長にわたる切込１１が設けられており、表示板１Ａの両端部は、各切込１１が開く方向へ折り曲げられている。表示板１Ａの両端の折り曲げ部分４は、地面に接触する平らな部分となり、例えばＵ字釘５等の固定具により地面に固定される。図示する例では、表示板１Ａの両端の折り曲げ部分４は、基層部１０と表層部２０Ａとの積層構造であるが、折り曲げ部分４に対応する部分の基層部１０を取り除いてもよい。表示板１Ａの湾曲の程度は、一対の折り曲げ部分４の配置間隔により調節される。打席位置からの距離に応じて表示板１Ａの設置角度を調節することが可能である点は、第１の設置例と同様である。
【００３６】
図６は、表示板１Ａの第３の設置例を模式的に表した断面図である。
【００３７】
第３の設置例では、表示板１Ａは、表層部２０Ａが外側に向けられて全体が略Ｕ字状に湾曲された状態で、地面の段差を跨いで固定されている。表示板１Ａを地面に固定する固定具の態様は、図４に示す第１の設置例に示した一対の固定枠材２を用いる態様でもよく、図５に示す第２の設置例に示したＵ字釘５を用いる態様でもよい。表示板１Ａの湾曲の程度が調節可能であり、打席位置からの距離に応じて表示板１Ａの設置角度を調節することが可能である点も、第１の設置例および第２の設置例と同様である。
【００３８】
第３の設置例では、地面の段差を跨いで表示板１Ａを設置することが可能となるので、例えばゴルフ練習場内に設けられたグリーン手前の段差やバンカー周囲の段差等、設置箇所が平坦面でなくても、表示板１Ａを設置することが可能となる。
【００３９】
図７は、表示板１Ａの第４の設置例を模式的に表した斜視図である。
【００４０】
第４の設置例では、固定具として支持脚６が用いられ、表示板１Ａは、全体が平板状であり、支持脚６により背面が支持されている。表示板１Ａの背面の基層部１０と支持脚６との間には、例えばヒンジ等の金具（図示せず）が介在させてあり、これにより表示板１Ａの傾き角度の調整が可能になっている。
【００４１】
以上、一実施形態に係る表示具１００によると、基層部１０は衝撃吸収性を有し、さらに表層部２０Ａの人工芝２２，２３も衝撃吸収性があるので、打球による衝撃を緩和することができる。基層部１０上に積層される表層部２０Ａには、表層部２０Ａを構成する第１の人工芝２２を背景として、第１の人工芝２２と異なる色合いにより、打球の飛距離や目標物までの距離等の情報が表されている。また、表層部２０Ａの人工芝は、耐久性および耐候性にも優れている。これにより、手軽に設置することができて、打球による衝撃を緩和する表示具を提供することができる。
【００４２】
また、第１の人工芝２２と異なる色合いの第２の人工芝２３を凹部２１に嵌め込むことにより、表示される情報の視認性をより向上させることができる。
【００４３】
さらに、表示板１Ａの全体を、略Ｕ字状に湾曲させた状態で地面に固定することにより、打球による衝撃を表示板全体が撓むことで吸収することが可能となり、打球による衝撃をより効率的に緩和させることができる。地上へ固定される表示板１Ａの両端部の間隔は調節可能であることから、打席位置からの距離に応じて表示板１Ａの設置角度を調節することが可能となり、表示される情報の視認性をより向上させることが可能となる。地面の段差を跨いで表示板１Ａを設置することも可能となる。
【００４４】
図８は、表示板の他の実施形態を模式的に表した図であり、（ａ）が平面図、（ｂ）が（ａ）のＢ１−Ｂ２線に沿う断面図である。
【００４５】
以下、主として一実施形態に係る表示板１Ａと相違する点について、他の実施形態に係る表示板１Ｂを説明する。他の実施形態に係る表示板１Ｂに関する、以下で説明する以外の構成は、一実施形態に係る表示板１Ａの構成と同様であるので、重複する説明は省略する。また、他の実施形態に係る表示板１Ｂの設置例は、図４〜図７を参照して説明した一実施形態に係る表示板１Ａの設置例と同様であるので、重複する説明は省略する。
【００４６】
他の実施形態に係る表示板１Ｂは、基層部１０と、基層部上に積層された表層部２０Ｂとを含む。表層部２０Ｂは、可撓性を有しており、例えば人工芝で形成されている。例示的には、表層部２０Ｂの厚さは約１．０ｃｍである。表層部２０Ｂには、情報を表す文字または図形の輪郭を縁取った凹溝状の縁取部２４が設けられ、縁取部２４により囲まれる表層部２０Ｂの領域には、表層部２０Ｂを構成する第１の人工芝２２と異なる色合いの着色が施され、着色部２５が形成されている。例示的には、第１の人工芝２２の色合いは緑色であり、縁取部２４により囲まれる表層部２０Ｂの領域の着色部２５は白色である。すなわち表層部２０Ｂは、図８の（ａ）に示すように、第１の人工芝２２を背景として、第１の人工芝２２の色合いと着色部２５の色合いとの違いにより、情報を表している。
【００４７】
凹溝状の縁取部２４は、例えば電熱式のはんだごて等により、第１の人工芝２２の表面部分の芝葉（パイル）３１を溶融することにより形成することができる。縁取部２４の溝深さは、基層部１０に達しない程度に設定されているが、これに限られるものではない。着色部２５は、例えばペンキ等の塗料を、縁取部２４により囲まれる表層部２０Ｂの領域に塗布することにより形成することができる。凹溝状の縁取部２４を先に形成することにより、その後行う塗料による着色の際に、汚れを防止するためのマスキングテープ等による養生を施す必要がなく、表示板１Ｂの作製工程を簡素化することができる。
【００４８】
以上、他の実施形態に係る表示板１Ｂによると、基層部１０は衝撃吸収性を有し、さらに表層部２０Ｂの人工芝２２も衝撃吸収性があるので、打球による衝撃を緩和することができる。基層部１０上に積層される表層部２０Ｂには、表層部２０Ｂを構成する第１の人工芝２２を背景として、第１の人工芝２２と異なる色合いにより、打球の飛距離や目標物までの距離等の情報が表されている。また、表層部２０Ｂの人工芝は、耐久性および耐候性にも優れている。これにより、手軽に設置することができて、打球による衝撃を緩和する表示具を提供することができる。
【００４９】
また、凹溝状の縁取部２４により、情報を表す文字または図形の輪郭を縁取ることにより、表示される情報の視認性をより一層向上させることができる。また、表示板全体をＵ字状に湾曲させた状態で地面に固定する場合であっても、情報を表す部分と背景部分とは、表層部２０Ｂが一体で連なっているので、情報を表す部分の人工芝が捲れ上がることがない。
［その他の形態］
【００５０】
以上、本発明を特定の実施形態によって説明したが、本発明は上記した実施形態に限定されるものではない。
【００５１】
上記実施形態では、凹部２１には第２の人工芝２３が嵌め込まれており、表層部２０Ａは、第１の人工芝２２の色合いと第２の人工芝２３の色合いとの違いにより情報を表しているが、情報を表す態様はこれに限定されない。凹部２１に第２の人工芝２３を嵌め込まず、凹部２１の輪郭形状と、凹部２１を通して露出する基層部１０の地色とにより情報を表してもよい。この場合、基層部１０は、第１の人工芝２２と異なる色合いを有している。あるいは、凹部２１を通して表面が露出する有色層（図示せず）を、基層部１０と表層部２０Ａとの間に配置し、有色層の色合いを、第１の第１の人工芝２２の色合いと異ならせてもよい。
【００５２】
上記実施形態では、表示板１Ａ，１Ｂが表す情報は、ゴルフ練習場における打球の飛距離や目標物までの距離であるが、表示板１Ａ，１Ｂが表す情報はこれに制限されない。例えば、数字以外の文字および図形並びにこれらの組合せ等により、他の情報を表してもよい。例えばゴルフ練習場の名称、スポンサー名等の文字、社標等であってもよい。
【００５３】
上記実施形態に係る表示具１００の設置場所は、ゴルフ練習場に限られず、例えばゴルフ場の練習用コースおよび本コース等であってもよい。さらに、ゴルフ練習場およびゴルフ場に限られず、バッティングセンターやフットサル場等の各種スポーツ施設や、スポーツを体験することができる各種アミューズメント施設であってもよい。
【符号の説明】
【００５４】
１Ａ，１Ｂ    表示板
２     固定枠材
３     溝
４     折り曲げ部分
５     Ｕ字釘（ステープラ）
６     支持脚
１０   基層部
１１   切込
２０Ａ，２０Ｂ       表層部
２１   凹部
２２   人工芝（第１の人工芝）
２３   人工芝（第２の人工芝）
２４   縁取部（凹溝）
２５   着色部
３１   芝葉（パイル）
３２   基層
３３   樹脂層
１００ 表示具
【図１】
2019103753.tif 000003
【図２】
2019103753.tif 000004
【図３】
2019103753.tif 000005
【図４】
2019103753.tif 000006
【図５】
2019103753.tif 000007
【図６】
2019103753.tif 000008
【図７】
2019103753.tif 000009
【図８】
2019103753.tif 000010